(57)【特許請求の範囲】
【請求項１】
画素保持容量電極を有する第一基板と、
共通電極を有して前記第一基板に対向して設置される第二基板と、
前記共通電極に電気的に接続されて、共通電圧信号を前記共通電極に出力する共通電極ドライバー回路と、
コネクション端子を介して前記画素保持容量電極に電気的に接続された反転増幅回路とを備え、
前記反転増幅回路は、
前記画素保持容量電極の電圧信号に基づいて、前記コネクション端子の側とは他方の側の他端子から反転増幅電圧信号を前記共通電極に出力する構成であることを特徴とする
液晶ディスプレイパネル。
【請求項２】
さらに、前記画素保持容量電極に電気的に接続されて、画素保持容量電極電圧信号を前記画素保持容量電極に出力する画素保持容量電極ドライバー回路を備えることを特徴とする
請求項１に記載の液晶ディスプレイパネル。
【請求項３】
前記共通電極ドライバー回路は、共通電極ドライバーユニット及び加算器を有し、
前記加算器は、それぞれ前記共通電極ドライバーユニット及び前記反転増幅回路に電気的に接続されて、前記反転増幅電圧信号に基づいて前記共通電圧信号を調整することを特徴とする
請求項１に記載の液晶ディスプレイパネル。
【請求項４】
前記第一基板はさらに、データ線と、走査線と、複数の画素ユニットとを備え、
前記画素ユニットは両者が電気的に接続されたスイッチ素子及び画素電極を有し、
前記スイッチ素子は前記データ線及び前記走査線に電気的に接続され、
前記画素電極と前記共通電極とは液晶容量を形成するとともに、
前記画素電極と前記画素保持容量電極とは画素保持容量を形成することを特徴とする
請求項１に記載の液晶ディスプレイパネル。
【請求項５】
前記コネクション端子は監視用の端子または導線であることを特徴とする
請求項１に記載の液晶ディスプレイパネル。
【請求項６】
画素保持容量電極を有する第一基板と、
共通電極を有して前記第一基板に対向して設置される第二基板と、
前記共通電極に電気的に接続されて、共通電圧信号を前記共通電極に出力する共通電極ドライバー回路と、
コネクション端子を介して前記画素保持容量電極に電気的に接続されて、前記画素保持容量電極の電圧信号に基づいて、前記コネクション端子の側とは他方の側の他端子から反転増幅電圧信号を前記共通電極に出力する反転増幅回路とを備えるディスプレイパネルと、
入力ユニットとを備える表示装置であって、
前記入力ユニットは前記ディスプレイパネルにカップリングされて、さらに、前記入力ユニットが前記ディスプレイパネルに信号を転送することで、前記ディスプレイパネルの表示映像をコントロールすることを特徴とする
表示装置。
【請求項７】
前記第一基板はさらに、データ線と、走査線と、複数の画素ユニットとを備え、
前記画素ユニットは両者が電気的に接続されたスイッチ素子及び画素電極を有し、
前記スイッチ素子は前記データ線及び前記走査線に電気的に接続され、
前記画素電極と前記共通電極とは液晶容量を形成するとともに、
前記画素電極と前記画素保持容量電極とは画素保持容量を形成したことを特徴とする
請求項６に記載の表示装置。
【請求項８】
前記コネクション端子は監視用の端子または導線であることを特徴とする
請求項６に記載の表示装置。
【請求項９】
携帯電話、デジタルカメラ、ＰＤＡ、ノートブックパソコン、デスクトップパソコン、テレビ、カー用モニター、ＧＰＳ、航空用ディスプレー装置、digital photo frame、または、ポータブルＤＶＤプレーヤーにおいて備えられることを特徴とする
請求項６に記載の表示装置。
【発明の詳細な説明】
【技術分野】
【０００１】
本発明は液晶ディスプレイパネル及び表示装置に関する。
【背景技術】
【０００２】
液晶ディスプレイは、その技術の発展に伴い、軽量及び非輻射性等の長所を有するようになっている。  
このため、徐々に従来のＣＲＴディスプレイ装置に取って代わり、各種電子製品において使用されるようになっている。  
液晶ディスプレイパネルは、薄膜トランジスタ基板とカラーフィルター基板によって液晶層を挟むことで形成される。  
このうち、薄膜トランジスタ基板は、画素保持容量電極及び複数の画素ユニットを有し、カラーフィルター基板は共通電極を有する。
【０００３】
同時に、図１Ａ及び図１Ｂを参照しながら説明する。  
このうち、図１Ａは、従来の薄膜トランジスタ基板Ｂの一部を示した図である。  
図１Ｂは従来の液晶ディスプレイパネルの等価回路を示した図である。  
図１Ａに示したように、薄膜トランジスタ基板Ｂの各画素ユニット１１は、スイッチ素子１１１及び画素電極１１２を備える。  
次に、図１Ａ及び図１Ｂに示したように、画素電極１１２と画素保持容量電極１２が画素保持容量Ｃｓを形成して、画素電極１１２がカラーフィルター基板（図示しない）の共通電極１３と共に液晶容量Ｃｌｃを形成する。  
また、これらのスイッチ素子１１１はデータ線Ｄｉ、Ｄｉ+１など及び走査線Ｓｊ、Ｓｊ+１などに電気的に接続され、画素保持容量電極１２及び共通電極１３は、それぞれ画素保持容量電極ドライバー回路１４及び共通電極ドライバー回路１５に電気的に接続される。
【０００４】
スイッチ素子１１１は、走査線Ｓｊによって伝送された走査信号Ｓｇｊが通じると同時に、映像電圧信号Ｖｇｉがデータ線Ｄｉによって各画素ユニット１１の画素電極１１２に書き込まれる。  
同時に、画素保持容量電極１２及び共通電極１３は、それぞれ画素保持容量電極ドライバー回路１４及び共通電極ドライバー回路１５によって、画素保持容量電極電圧信号Ｖｓ及び共通電圧信号Ｖｃｏｍが入力されることにより固定電圧値、あるいは、ある決められた交流電圧波形を維持する。
【発明の開示】
【発明が解決しようとする課題】
【０００５】
同時に、図１Ｂ及び図１Ｃを参照する。  
図１Ｃは、映像電圧信号Ｖｇｉが書き込まれた時の、画素保持容量電極電圧信号Ｖｓ及び共通電圧信号Ｖｃｏｍの変化を示した図である。  
映像電圧信号Ｖｇｉがデータ線Ｄｉに書き込まれる時、データ線Ｄｉは電圧の変化を生じ、データ線Ｄｉの電圧の変化が画素電極１１２、画素保持容量電極１２及び共通電極１３にカップリングによる電圧変動（画素保持容量電極電圧信号Ｖｓに生じる電圧変動をＶｄ２とする）を生じさせる。  
さらに、同一走査線Ｓｊ上の画素ユニット１１は、同時にデータ線Ｄｉによって映像電圧信号Ｖｇｉが書き込まれる。  
このため、同一掃描線（走査線）Ｓｊ上の画素保持容量電極１２及び共通電極１３上の電圧信号Ｖｓ、Ｖｃｏｍが、いずれもカップリングによる電圧変動が生じることにより、同時に画素電極電圧も影響を受けて電圧変動が生じる。  
そして、画素保持容量電極電圧信号Ｖｓに電圧変動Ｖｄ１が残ると、液晶ディスプレイパネル１の表示画面に横クロストークが発生するという問題が生じる。
【０００６】
したがって、本発明は、横クロストークの問題を改善する液晶ディスプレイパネルを提供することを課題とする。
【課題を解決するための手段】
【０００７】
上記の課題を解決するため、本発明は、横クロストークの問題を改善する液晶ディスプレイパネル及び表示装置を提供することを目的とする。
【０００８】
上記の目的を達成するため、本発明の液晶ディスプレイパネルは、第一基板、第二基板、共通電極ドライバー回路及び反転増幅回路を備える。  
第一基板は、画素保持容量電極を有し、第二基板は共通電極を有して第一基板に対向して設置される。  
共通電極ドライバー回路は共通電極に電気的に接続されて、共通電圧信号を共通電極に出力する。  
反転増幅回路は、コネクション端子を介して画素保持容量電極に電気的に接続され、画素保持容量電極の電圧信号に基づいて、前記コネクション端子の側とは他方の側の他端子から反転増幅電圧信号を共通電極に出力する。
【０００９】
このように、本発明の液晶ディスプレイパネルは、反転増幅回路が画素保持容量電極に電気的に接続されて、画素保持容量電極の電圧信号に基づいて反転増幅電圧信号を共通電極に出力することにより、共通電圧信号の電圧変動を補償する。  
反転増幅電圧信号は、共通電圧信号の電圧変動を補償する他、間接的に画素保持容量電極電圧信号の電圧変動も補償する。
【００１０】
反転増幅回路は、さらに、共通電極に電気的に接続されて、共通電極の電圧信号に基づいて、反転増幅電圧信号を画素保持容量電極に出力することにより、画素保持容量電極電圧信号の電圧変動を補償する。  
そして、反転増幅電圧信号は、画素保持容量電極電圧信号の電圧変動を補償する他、間接的に共通電圧信号の電圧変動も補償する。
【００１１】
このように、共通電極及び画素保持容量電極は、映像電圧信号の書き込み時に、電圧変動が生じるという問題を、反転増幅回路によって補償することが可能である。  
したがって、液晶ディスプレイパネルは、共通電極と画素保持容量電極の電圧変動によって横クロストークが発生するという問題を改善する。
【発明の効果】
【００１２】
本発明の液晶ディスプレイパネルは、共通電極及び画素保持容量電極における、映像電圧信号の書き込み時に電圧変動が生じるという問題を、反転増幅回路によって補償することが可能である。  
したがって、液晶ディスプレイパネルは、共通電極と画素保持容量電極の電圧変動によって横クロストークが発生するという問題を改善する。
【発明を実施するための最良の形態】
【００１３】
以下、図面を参照しながら、本発明の液晶ディスプレイパネルについて説明する。
【００１４】
［第一実施例］
同時に、図２Ａ及び図２Ｂを参照しながら説明する。  
このうち、図２Ａは、本発明の第一実施例の液晶ディスプレイパネル２の断面図である。  
図２Ｂは液晶ディスプレイパネル２の等価回路を示した図である。  
液晶ディスプレイパネル２は、第一基板Ｂ１、第二基板Ｂ２、共通電極ドライバー回路２５及び反転増幅回路２６を備える。
【００１５】
図２Ａ及び図２Ｂに示したように、第一基板Ｂ１は、例えば、薄膜トランジスタ基板であり、画素保持容量電極２２を有する。  
また、第一基板Ｂ１はさらに、複数の画素ユニット２１を有し、各画素ユニット２１はスイッチ素子２１１及び画素電極２１２を有し、両者は電気的に接続される。  
さらに、これらのスイッチ素子２１１は、それぞれデータ線Ｄｉ、Ｄｉ+１など及び走査線Ｓｊ、Ｓｊ+１などに電気的に接続される。  
画素電極２１２は、画素保持容量電極２２と共に、画素保持容量Ｃｓを形成する。  
本実施例において、スイッチ素子２１１は、例えば、薄膜トランジスタであり、そのソース電極はデータ線Ｄｉ、Ｄｉ+１などに電気的に接続され、そのゲート電極は走査線Ｓｊ、Ｓｊ+１などに電気的に接続され、ドレイン電極は画素電極２１２に電気的に接続される。
【００１６】
第二基板Ｂ２は、例えば、カラーフィルター基板であり、共通電極２３を有して第一基板Ｂ１に対向して設置される。  
さらに、共通電極２３と画素電極２１２は液晶容量Ｃｌｃを形成する。  
また、第二基板Ｂ２はさらに、ブラックマトリックス層２７、カラーフィルタ層２８及び絶縁層２９を有する。  
さらに、第一基板Ｂ１と第二基板Ｂ２の間には、スぺーサＰが設置される。
【００１７】
共通電極ドライバー回路２５は共通電極２３に電気的に接続されて、共通電圧信号Ｖｃｏｍを共通電極２３に出力する。
【００１８】
反転増幅回路２６は、コネクション端子を介して画素保持容量電極２２に電気的に接続される。  
このうち、コネクション端子はモニター用端子であり、あるいは、導線でもある。  
本実施例において、コネクション端子は導線Ｗを例として説明する。
【００１９】
また、本実施例の液晶ディスプレイパネル２は、さらに画素保持容量電極ドライバー回路２４を備え、画素保持容量電極２２に電気的に接続されて、画素保持容量電極電圧信号Ｖｓを画素保持容量電極２２に出力する。
【００２０】
このため、画素保持容量電極２２及び共通電極２３は、それぞれ画素保持容量電極ドライバー回路２４及び共通電極ドライバー回路２５が入力した画素保持容量電極電圧信号Ｖｓ及び共通電圧信号Ｖｃｏｍによって固定電圧値、あるいは、ある決められた交流電圧波形を維持する。
【００２１】
スイッチ素子２１１が走査線Ｓｊを介して走査信号Ｓｇｊが出力されて通じると同時に、映像電圧信号Ｖｇｉがデータ線Ｄｉによってそれぞれ画素ユニット２１の画素電極２１２に書き込まれる。
【００２２】
同時に、図２Ｂ及び図２Ｃを参照しながら説明する。  
図２Ｃは、本発明の映像電圧信号書き込み時における画素保持容量電極電圧信号及び共通電圧信号の変化を示した図である。  
反転増幅回路２６は画素保持容量電極電圧モニター信号Ｖ１（Ｖｓ）を検出する。  
電圧信号Ｖ１（Ｖｓ）は、データ線Ｄｉと画素保持容量電極２２との間のカップリングによる電圧変動を持ち（例えば、図２Ｃ中のＶｄ２）電圧変動が発生した時、反転増幅回路２６が電圧変動に対応して、反転増幅電圧信号Ｒ１を出力する。  
例えば、電圧変動が−０．３Ｖとすると、反転増幅回路２６が電圧変動に対応する場合、以下の演算となる。  
−（−０．３）×Ｇ＝０．３Ｇ
つまり、反転増幅回路２６は、まず電圧変動値の正負号を反転させ、さらに、増幅値Ｇでかける。  
例えば、増幅値Ｇが１〜１００の間であれば、本実施例における増幅値は１０を例として説明するが、本発明の内容を制限するものではない。  
したがって、反転増幅回路２６が３Ｖの反転増幅電圧信号Ｒ１を共通電極２３に出力することにより、共通電極２３の共通電圧信号Ｖｃｏｍを調整して補償する。
【００２３】
共通電圧信号Ｖｃｏｍの補償により、画素保持容量電極２２の画素保持容量電極電圧信号Ｖｓの電圧変動もまた、液晶容量Ｃｌｃ及び画素保持容量Ｃｓ間の電荷の伝達によって補償される（Ｖｄ１はほぼゼロに近い）。  
したがって、液晶ディスプレイパネル２は、画素保持容量電極２２及び共通電極２３の電圧変動によって横クロストークが発生するという問題を改善する。
【００２４】
また、図３は共通電極ドライバー回路２５ａの変化の状態を示す図である。  
共通電極ドライバー回路２５ａはさらに、共通電極ドライバーユニット２５１及び加算器２５２を有する。  
加算器２５２は、それぞれ共通電極ドライバーユニット２５１及び反転増幅回路２６に電気的に接続される。  
加算器２５２は、反転増幅電圧信号Ｒ１に基づいて共通電圧信号Ｖｃｏｍを調整する。
【００２５】
［第二実施例］
図４を参照しながら説明する。  
図４は本発明の第二実施例の液晶ディスプレイパネル３の等価回路を示した図である。  
本発明の第二実施例の液晶ディスプレイパネル３が第一実施例と異なるのは、反転増幅回路３６が反転増幅電圧信号Ｒ１を画素保持容量電極３２に出力することにより、画素保持容量電極３２の画素保持容量電極電圧信号Ｖｓの電圧変動を補償する点である。
【００２６】
同様に、画素保持容量電極電圧信号Ｖｓを補償することにより、共通電極３３の共通電圧信号Ｖｃｏｍの電圧変動もまた、画素保持容量Ｃｓと液晶容量Ｃｌｃとの間の電荷の伝達によって補償される。
【００２７】
また、第一実施例と類似する点は、画素保持容量電極ドライバー回路もまた画素保持容量電極ドライバーユニット及び加算器（図示しない）を備える点である。  
このうち、加算器は、それぞれ画素保持容量電極ドライバーユニット及び反転増幅回路３６に電気的に接続される。  
加算器は、反転増幅電圧信号Ｒ１に基づいて画素保持容量電極電圧信号Ｖｓを調整する。
【００２８】
［第三実施例］
図５は本発明の第三実施例における液晶ディスプレイパネル４の等価回路を示した図である。  
本発明の第三実施例の液晶ディスプレイパネル４が第一実施例と異なる点は、反転増幅回路４６が共通電極４３に電気的に接続されて、共通電極４３の電圧信号Ｖ２に基づいて、反転増幅電圧信号Ｒ２を画素保持容量電極４２に出力することにより、画素保持容量電極４２の画素保持容量電極電圧信号Ｖｓの電圧変動を補償する点である。
【００２９】
同様に、画素保持容量電極電圧信号Ｖｓの補償により、共通電極４３の共通電圧信号Ｖｃｏｍの電圧変動もまた、画素保持容量Ｃｓと液晶容量Ｃｌｃ間の電荷の伝達によって補償が可能である。
【００３０】
また、第二実施例と類似する点は、画素保持容量電極ドライバー回路もまた、画素保持容量電極のドライバーユニット及び加算器（図示しない）を備える点であり、このうち、加算器は、それぞれ画素保持容量電極のドライバーユニット及び反転増幅回路４６に電気的に接続される。  
加算器は、反転増幅電圧信号Ｒ１に基づいて画素保持容量電極電圧信号Ｖｓを調整する。
【００３１】
図６を参照しながら説明する。  
本発明の表示装置５は、携帯電話、デジタルカメラ、ＰＤＡ、ノートブックパソコン、デスクトップパソコン、テレビ、カー用モニター、ＧＰＳ、航空用ディスプレー装置、digital photo frame、または、ポータブルＤＶＤプレーヤーにおいて応用される。  
表示装置５は、ディスプレイパネル６及び入力ユニット７を備える。  
入力ユニット７はディスプレイパネル６に電気的に接続され、さらに、入力ユニット７を介して信号Ｉがディスプレイパネル６に転送されることにより、ディスプレイパネル６の表示映像をコントロールする。  
このうち、ディスプレイパネル６は、第一実施例の液晶ディスプレイパネル２の構造を有する。  
また、ディスプレイパネル６は、例えば液晶ディスプレイパネル３及び液晶ディスプレイパネル４の構造を利用することも可能である。  
液晶ディスプレイパネル２、３、４の構造はすでに前述の実施例において詳述されているため、ここでは説明しない。
【００３２】
上述のように、本発明の液晶ディスプレイパネルは、反転増幅回路が画素保持容量電極に電気的に接続されて、画素保持容量電極の電圧信号に基づいて反転増幅電圧信号を共通電極に出力することにより、共通電圧信号の電圧変動を補償する。  
反転増幅電圧信号は、共通電圧信号の電圧変動を補償する他、間接的に画素保持容量電極電圧信号の電圧変動も補償する。
【００３３】
また、反転増幅回路もまた、反転増幅電圧信号を画素保持容量電極に出力することにより、画素保持容量電極電圧信号の電圧変動を補償する。  
同様に、反転増幅電圧信号は、画素保持容量電極電圧信号の電圧変動を補償する他、間接的に共通電圧信号の電圧変動も補償する。
【００３４】
さらに、反転増幅回路は、共通電極に電気的に接続されて、共通電極の電圧信号に基づいて反転増幅電圧信号を画素保持容量電極に出力することにより、共通電圧信号の電圧変動を補償する。  
そして、反転増幅電圧信号は、共通電圧信号の電圧変動を補償する他、間接的に画素保持容量電極電圧信号の電圧変動も補償する。
【００３５】
このように、共通電極及び画素保持容量電極は、映像電圧信号書き込み時に、電圧変動が生じるという問題を、反転増幅回路によって補償することが可能である。  
したがって、液晶ディスプレイパネルは、共通電極と画素保持容量電極の電圧変動によって横クロストークが発生するという問題を改善する。
【００３６】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３７】
【図１Ａ】従来の薄膜トランジスタ基板の一部を示した図である
【図１Ｂ】従来の液晶ディスプレイパネルの等価回路を示した図である。
【図１Ｃ】映像電圧信号書き込み時における画素保持容量電極電圧信号及び共通電圧信号の変化を示した図である。
【図２Ａ】本発明の第一実施例の液晶ディスプレイパネルの断面図である。
【図２Ｂ】本発明の液晶ディスプレイパネルの等価回路を示した図である。
【図２Ｃ】本発明の映像電圧信号書き込み時における画素保持容量電極電圧信号及び共通電圧信号の変化を示した図である。
【図３】本発明における第一実施例の液晶ディスプレイパネルの共通電極ドライバー回路の変化の状態を示した図である。
【図４】本発明における第二実施例の液晶ディスプレイパネルの等価回路を示した図である。
【図５】本発明における第三実施例の液晶ディスプレイパネルの等価回路を示した図である。
【図６】本発明における表示装置を示した図である。
【符号の説明】
【００３８】
１，２，３，４    液晶ディスプレイパネル
１１，２１        画素ユニット
１１１，２１１    スイッチ素子
１１２，２１２    画素電極
１２，２２，３２，４２  画素保持容量電極
１３，２３，３３，４３  共通電極
１４，２４，３４，４４  画素保持容量電極ドライバー回路
１５，２５，２５ａ，３５，４５  共通電極ドライバー回路
２５１            共通電極ドライバーユニット
２５２            加算器
２６，３６，４６  反転増幅回路
２７              ブラックマトリックス層
２８              カラーフィルタ層
２９              絶縁層
５                表示装置
６                ディスプレイパネル
７                入力ユニット
Ｂ                薄膜トランジスタ基板
Ｂ１              第一基板
Ｂ２              第二基板
Ｃｓ              画素保持容量
Ｃｌｃ            液晶容量
Ｄｉ，Ｄｉ＋１        データ線
Ｉ                信号
Ｐ                スペーサ
Ｒ１，Ｒ２        反転増幅電圧信号
Ｓｊ，Ｓｊ＋１        走査線
Ｓｇｉ，Ｓｇｊ＋１    走査信号
Ｖ１，Ｖ２        電圧信号
Ｖｄ１，Ｖｄ２    電圧変動
Ｖｇｉ，Ｖｇｉ＋１    映像電圧信号
Ｖｓ              画素保持容量電極電圧信号
Ｖｃｏｍ          共通電圧信号
Ｗ                導線
【図１Ａ】
0005153438.tif 000002
【図１Ｂ】
0005153438.tif 000003
【図１Ｃ】
0005153438.tif 000004
【図２Ａ】
0005153438.tif 000005
【図２Ｂ】
0005153438.tif 000006
【図２Ｃ】
0005153438.tif 000007
【図３】
0005153438.tif 000008
【図４】
0005153438.tif 000009
【図５】
0005153438.tif 000010
【図６】
0005153438.tif 000011